(57)【要約】【課題】簡単な構造であり、商品の運搬や保管を行う時はシンプルな形状の箱体として商品を収容し、店頭では開封することなく包装用箱の一部をＰＯＰ部として組み立てて設け、消費者に強い印象を与えることができる表示機能付き包装用箱を提供する。【解決手段】箱体形成片１２から成り、筒体に組み立てられる側面１４，１６，１８，２０と、側面２０に連接され筒体の開口部を閉鎖する蓋部５４を備える。蓋部５４に設けられ破断線６２で区切られたＰＯＰ部６６と、ＰＯＰ部６６に設けられ商品についての説明が印刷された印刷部４１を有する。蓋部５４が設けられた側面２０と重ねられる部分から延出し、ＰＯＰ部６６の裏面に重ねられる裏板７２を備える。ＰＯＰ部６６を上方に立ち上げた状態で、ＰＯＰ部６６を外した蓋部５４の開口部が、裏板７２により閉鎖される。【選択図】図１
2015034020.tif 000002
【特許請求の範囲】
【請求項１】
一枚のブランクシートから一体定的に打ち抜かれた箱体形成片から成り、前記箱体形成片には互いに平行に連接され筒体に組み立てられる側面と、前記側面の一つに折罫線を介して連接され前記箱体形成片の一部に糊付けされて前記側面の筒体の開口部を閉鎖する蓋部と、前記蓋部に設けられ前記折罫線に連続する破断線で区切られたＰＯＰ部と、前記ＰＯＰ部に設けられ商品についての説明が印刷された印刷部と、前記蓋部が設けられた側面と重ねられる部分から延出し前記蓋部の前記ＰＯＰ部の裏面に糊付けされて重ねられる裏板が設けられ、
前記箱体形成片を組み立てて、前記破断線を切断して前記ＰＯＰ部を前記蓋部から切り離して前記折罫線を回転軸として上方に立ちあげた状態で、前記ＰＯＰ部を外して形成された蓋部の開口部が前記裏板により閉鎖されることを特徴とする表示機能付き包装用箱。
【請求項２】
前記側面の側面どうしの連接方向の一方の端部に位置する前記側面の側縁部には、前記側面どうしの連接方向の他方の端部に位置する前記側面の前記表示機能付き包装用箱の内側となる裏面に糊付けされて筒体を形成する糊付片が設けられ、前記糊付片の、前記側面どうしの連接方向に交差する端部には、前記ＰＯＰ部より大きく前記蓋部より小さい形状の前記裏板が設けられ、前記裏板には前記糊付片の端部近傍に前記端部に対して平行な撓み吸収折罫線が設けられ、前記表示機能付き包装用箱の組み立て状態で、前記蓋部が前記側面に対して略直角に正折りされると前記裏板は前記撓み吸収折罫線でわずかに折れ曲げられる請求項１記載の表示機能付き包装用箱。
【請求項３】
前記裏板に設けられた前記撓み吸収折罫線は破断線であり、前記破断線は２本設けられ、互いに平行に前記裏板の両側縁部に達して設けられている請求項１または２記載の表示機能付き包装用箱。
【発明の詳細な説明】
【技術分野】
【０００１】
この発明は、箱体形成片と一体に商品の説明が印刷されたＰＯＰ部が設けられている表示機能付き包装用箱に関する。
【背景技術】
【０００２】
従来、商品を収容して運搬や保管を行う包装用箱にＰＯＰ部を取り付けて、陳列するものがある。例えば、特許文献１に開示されている包装用ケースは、内容物を収納する包装用箱と、包装用箱の４面を筒状に覆う外装紙が設けられ、外包紙には印刷が施され、また切断誘導部によって囲まれたＰＯＰ部が設けられ、切断誘導部に沿って前記表示部を切起して展示または販売を行うものである。また、特許文献２に開示されている化粧箱は、一枚のブランクシートを切り込みおよび折り曲げて組み立てられ、側面または上部、下部における外面部の少なくとも一部にＰＯＰ部が設けられている。このＰＯＰ部には、ＰＯＰ図柄を表示し、箱体を組み立てた時にＰＯＰ部が箱体の外面部に平面状に重合されると共に、この重合状態から外側に引き離されて立体的に展開され、この展開状態でＰＯＰ部のＰＯＰ図柄が表示されるようにしたものである。
【先行技術文献】
【特許文献】
【０００３】
【特許文献１】特開平６−７２４３３号公報
【特許文献２】特開２００１−１８０６５６号公報
【発明の概要】
【発明が解決しようとする課題】
【０００４】
上記背景技術の場合、特許文献１の包装用ケースは、包装用箱と別体の外装紙が必要であり、コストがかかり組立工程も手間がかかるものである。特許文献２の化粧箱は、箱体の部材の数が多く、ブランクシートを切り取る面積が大きく、また折り曲げて糊付けする組み立て工程が複雑であり、コストがかかり組立作業も面倒で手間がかかるものである。
【０００５】
この発明は、上記背景技術の問題点に鑑みてなされたものであり、簡単な構造であり、商品の運搬や保管を行う時はシンプルな形状の箱体として商品を収容し、店頭では開封することなく包装用箱の一部をＰＯＰ部として組み立てて設け、消費者に強い印象を与えることができる表示機能付き包装用箱を提供することを目的とする。
【課題を解決するための手段】
【０００６】
本発明は、一枚のブランクシートから一体定的に打ち抜かれた箱体形成片から成り、前記箱体形成片には互いに平行に連接され筒体に組み立てられる側面と、前記側面の一つに折罫線を介して連接され前記箱体形成片の一部に糊付けされて前記側面の筒体の開口部を閉鎖する蓋部と、前記蓋部に設けられ前記折罫線に連続する破断線で区切られたＰＯＰ部と、前記ＰＯＰ部に設けられ商品についての説明が印刷された印刷部と、前記蓋部が設けられた側面と重ねられる部分から延出し前記蓋部の前記ＰＯＰ部の裏面に糊付けされて重ねられる裏板が設けられた表示機能付き包装用箱であり、前記箱体形成片を組み立てて、前記破断線を切断して前記ＰＯＰ部を前記蓋部から切り離して前記折罫線を回転軸として上方に立ちあげた状態で、前記ＰＯＰ部を外して形成された蓋部の開口部が前記裏板により閉鎖されるものである。
【０００７】
前記側面の側面どうしの連接方向の一方の端部に位置する前記側面の側縁部には、前記側面どうしの連接方向の他方の端部に位置する前記側面の前記表示機能付き包装用箱の内側となる裏面に糊付けされて筒体を形成する糊付片が設けられ、前記糊付片の、前記側面どうしの連接方向に交差する端部には、前記ＰＯＰ部より大きく前記蓋部より小さい形状の前記裏板が設けられている。前記裏板には前記糊付片の端部近傍に前記端部に対して平行な撓み吸収折罫線が設けられている。前記表示機能付き包装用箱の組み立て状態で、前記蓋部が前記側面に対して略直角に正折りされると前記裏板は前記撓み吸収折罫線でわずかに折れ曲げられる。
【０００８】
前記撓み吸収折罫線は破断線であり、例えば２本が互いに平行に前記裏板の両側縁部に達して設けられている。
【発明の効果】
【０００９】
本発明の表示機能付き包装用箱は、簡単な構造で、商品の運搬や保管を行う時はシンプルな形状の箱体として商品を収容し、店頭では開封することなく包装用箱の一部をＰＯＰ部として組み立てて設け、消費者に強い印象を与えることができる。しかも、包装用箱の一部をＰＯＰ部として切断して引き起こしても開口部の裏面側に覆い部分があるため、開封されることがなく、収容された商品を保護することができる。
【図面の簡単な説明】
【００１０】
【図１】この発明の一実施形態の表示機能付き包装用箱のＰＯＰ部を立ち上げた状態を示す斜視図である。
【図２】この発明の一実施形態の表示機能付き包装用箱のＰＯＰ部を立ち上げる前の状態を示す斜視図である。
【図３】この発明の一実施形態の表示機能付き包装用箱の蓋部を閉じる前の状態を示す縦断面図である。
【図４】この発明の一実施形態の表示機能付き包装用箱の蓋部を閉じた状態を示す縦断面図である。
【図５】この発明の一実施形態の表示機能付き包装用箱のＰＯＰ部を立ち上げた状態を示す縦断面図である。
【図６】この発明の一実施形態の表示機能付き包装用箱の展開図である。
【発明を実施するための形態】
【００１１】
以下、この発明の実施形態について図面に基づいて説明する。図１〜図６はこの発明の一実施形態を示すもので、この実施形態の表示機能付き包装用箱１０は、厚紙等の１枚のブランクシートを打ち抜いて形成された箱体形成片１２を組み立てて設けられている。図６は、箱体形成片１２を表面から見た展開図であり、側面１４，１６，１８，２０が順に連接されている。側面１４，１６，１８，２０は、連接方向と直交する幅方向は同じ長さであり、連接方向の長さも互いにほぼ等しい。側面１４の側縁部には、表示機能付き包装用箱１０の組立状態で側面２０の裏面に糊付けされる糊付片２２が設けられている。糊付片２２、側面１４，１６，１８，２０は、各々折罫線２３，２４，２６，２８で区切られている。
【００１２】
側面１４において、側面どうしの連接方向に対して直角な方向の位置端部には、矩形のフラップ３２が折罫線３４で区切られて設けられている。側面１４の、折罫線３４と反対側の端部には、三角形の糊付部３６が折罫線３８で区切られて設けられている。
【００１３】
側面１６の、側面１４の折罫線３８に隣接する端部には、台形状の第一底蓋片４０が折罫線４２で区切られて設けられている。第一底蓋片４０の折罫線４２から折罫線４２に対して平行な端部４０ａまでの長さは、表示機能付き包装用箱１０の組み立て状態で底面の中心を超える長さ、つまり側面１４，１８の連接方向よりも少し短く設けられている。第一底蓋片４０の折罫線２４に連続する辺４０ｂは、折罫線２４の延長線よりもわずかに第一底蓋片４０の内側に傾いて形成され、折罫線２６に連続する辺４０ｃは、辺４０ｂよりも長く、辺４０ｂよりも大きい角度で傾いて形成されている。辺４０ｃの折罫線２６近傍には、変形した四角形の糊付片４４が折罫線４６で区切られて設けられている。辺４０ｃには、糊付片４４の端部４０ａ側に、小さい凹部４８が形成され、折罫線４２と凹部４８までの長さは、表示機能付き包装用箱１０の組立状態で底面の中心線付近に位置する長さ、つまり側面１４，１８の約半分の幅に設けられている。
【００１４】
側面１８の、側面１４の折罫線３４の延長線上に位置する端部には、矩形のフラップ５８が折罫線６０で区切られて設けられている。側面１８の、折罫線６０と反対側の端部には、三角形の糊付部５０が折罫線５２で区切られて設けられている。
【００１５】
側面２０の、側面１８の折罫線６０に隣接する端部には、矩形の蓋部５４が折罫線５６で区切られて設けられている。蓋部５４には、折罫線５６上の２箇所に連続する環状の破断線６２が設けられている。破断線６２は楕円形の一部に形成され、楕円の長軸は、折罫線５６上では折罫線２８に近く折罫線５６から離れるに従い折罫線２８から離れるように傾斜し、蓋部５４の中心には達しない大きさである。破断線６２の、中心部分は折罫線５６から最も離れ、中心部分の外側には半円形の透孔６４が隣接して設けられている。破断線６２と折罫線５６で囲まれた部分はＰＯＰ部６６となるものであり、商品名や商品についての説明が印刷された印刷部４１が設けられている。蓋部５４の、折罫線５６と反対側の端部には、表示機能付き包装用箱１０の組み立て状態で側面１６の裏面に差し込んで係止する差込片６８が折罫線７０で区切られて設けられている。
【００１６】
糊付片２２は、側面２０とほぼ同じ形状であり、フラップ３２側の端部には、矩形の裏板７２が折罫線７４で区切られて設けられている。裏板７２は、蓋部５４よりわずかに小さく形成されている。裏板７２の、折罫線７４近傍には、折罫線７４に対して平行な２本の撓み吸収折罫線である破断線７６が設けられ、２本の破断線７６は、裏板７２の両側縁部に達している。
【００１７】
糊付片２２の、折罫線７４と反対側の端部には、台形状の第二底蓋片７８が折罫線８０で区切られて設けられている。第二底蓋片７８は第一底蓋片４０と同形状であり、折罫線８０に対して平行な端部７８ａと、糊付片２２の側縁部に連続する辺７８ｂと、折罫線２３に連続する辺７８ｃを有している。辺７８ｃは、辺７８ｂよりも長く、辺７８ｂよりも大きい角度で傾いて形成されている。辺７８ｃの折罫線２３近傍には、変形した四角形の糊付片８２が折罫線８４で区切られて設けられている。辺７８ｃには、糊付片８２の端部７８ａ側に、小さい凹部８６が形成され、折罫線８０と凹部８６までの長さは、表示機能付き包装用箱１０の組立状態で底面の中心線付近に位置する長さ、つまり側面１４，１８の約半分の幅に設けられている。
【００１８】
次に、この実施形態の表示機能付き包装用箱１０の組立方法の一例について説明する。まず、第二底蓋片７８、糊付部３６、第一底蓋片４０、糊付部５０を折罫線８０，３８，４２，５２で正折りする。第一底蓋片４０の折罫線４６で糊付片４４を逆折りし、第二底蓋片７８の折罫線８４で糊付片８２を逆折りし、糊付片４４の裏面に糊８８を、糊付片８２の裏面に糊９０を塗布する。次に糊付片２２と裏板７２の表面に糊９２を塗布する。裏板７２は、折罫線７４と２本の破断線７６の周囲を避けて塗布する。折罫線２３で糊付片２２を正折りし、第二底蓋片７８の糊付片８２の裏面は糊９０により糊付部３６の表面に糊付けされる。
【００１９】
この後、折罫線２６で側面１８を正折りし、これにより第一底蓋片４０の糊付片４４の裏面は糊８８により糊付部５０の表面に糊付けされる。糊付片２２の表面は糊９２により側面２０の裏面に糊付けされ、裏板７２の表面は糊９２により蓋部５４の裏面の、透孔６４とＰＯＰ部６６よりも先端側に糊付けされる。これにより折り畳み状態となり、この状態で箱体形成片１２による折り畳み状態の表示機能付き包装用箱１０が出荷される。
【００２０】
次に、商品を収容し包装する工場等において、折罫線２３，２４，２６，２８を各々９０°に正折りして四角形の箱体にする。このとき、第一底蓋片４０は側面１６から糊付部５０とともに引き起こされて折罫線４２で直角に正折りされ、同時に第二底蓋片７８は糊付片２２から糊付部３６とともに引き起こされて折罫線８０で直角に正折りされる。更に、第一底蓋片４０の端部４０ａが第二底蓋片７８の裏面に位置し、第二底蓋片折罫線７８の端部７８ａが第一底蓋片４０の裏面に差し込まれ、凹部４８，８６が嵌合し、互いに確実に係止されて底面を形成する。
【００２１】
組み立てられた側面１４，１６，１８，２０と底面から成る箱体の内側に商品を入れ、折罫線３４，６０でフラップ３２，５８を９０°に正折りし、折罫線５６で蓋部５４を９０°に正折りし、差込片６８を折罫線７０で正折りし、差込片６８を側面１６の裏面側に差し込んで係止し、上面が形成され、図２、図４に示すように包装が完成する。このとき、裏板７２が蓋部５４に追従して折罫線７４で９０°に正折りされる。
【００２２】
ここで、図３に示すように側面２０と蓋部５４が折罫線５６で折り曲げられずに平坦なときに、糊付片２２と裏板７２が糊付けされるが、蓋部５４を折罫線５６で９０°に正折りすると、裏板７２はブランクシートの厚み分だけ内側に位置して、裏板７２には圧縮方向に力が作用する。ブランクシートにはほとんど伸縮性がないため、裏板７２に撓みが発生する。しかし、図４に示すように裏板７２に設けられた２本の破断線７６が容易に屈曲して、裏板７２の撓みが吸収される。これにより蓋部５４は、良好に９０°に正折りされる。２本の破断線７６の折り曲げ方向は、蓋部５４を正折りしたときに自然と曲がる方向でよく、例えば図４に示すように折罫線７４に近い方が正折り、遠い方が逆折りでもよい。
【００２３】
次に、この実施形態の表示機能付き包装用箱１０の使用方法について説明する。まず、商品の運搬や保管を行うときは、図２、図４に示すようにシンプルな箱体の状態にする。店頭で陳列する時は、印刷部４１が設けられている蓋部５４を上方に向けて陳列する。印刷部４１をより強く印象付ける場合は、蓋部５４の透孔６４に指を入れてＰＯＰ部６６を外側に引き起こし、破断線６２を切断し、折罫線５６を回転軸としてＰＯＰ部６６を上方に立ち上げる。ＰＯＰ部６６は図１、図５に示すように、側面２０とほぼ平行となり、印刷部４１が上面から突出して見やすくなる。蓋部５４の裏面にはＰＯＰ部６６を避けて裏板７２が糊９０により接着されているため、透孔６４は裏面から裏板７２により閉鎖されている。ＰＯＰ部６６を外して開口部が形成され、透孔６４は開口部に連通して大きくなるが、裏板７２により閉鎖され、箱体の上面は閉鎖された状態を維持している。
【００２４】
この実施形態の表示機能付き包装用箱１０によれば、簡単な構造で商品の運搬や保管を行う時はシンプルな箱体として商品を収容し、店頭ではＰＯＰ部６６を引き起こしてセットし、商品についての説明を印刷した印刷部４１を見やすいように提示し、消費者に強い印象を与えることができる。ＰＯＰ部６６を引き起こすとき、透孔６４に指を入れて引き起こすことができ、破断線６２の切断の開始が容易で作業がしやすいものである。ＰＯＰ部６６は長軸が傾いた楕円形に設けられているため、印象的であり消費者の関心を引くことができる。蓋部５４の裏面に裏板７２が糊付けされているため、蓋部５４の動きに裏板７２も追従し、表示機能付き包装用箱１０の組立作業や、開封作業が簡単である。そして、裏板７２は破断線７６が設けられているため、蓋部５４を９０°に正折りした時に折り曲げられて短くなり、蓋部５４を伸ばした時に長くなり、容易に蓋部５４の動きに追従し、動きを妨げることがなく、円滑に開閉動作を行うことができる。底部はワンタッチで組み立てられ、組立作業が容易である。
【００２５】
なお、この発明は上記各実施形態に限定されるものではなく、各側面の大きさや形状、底部の構造等、自由に変更可能である。ＰＯＰ部の大きさや数、位置等は適宜変更可能である。箱体形成片の、側面や蓋片、糊付片等の連接する順番は異なるものでもよく、箱体形成片を組み立てる順番も適宜変更可能である。包装用箱の素材は紙以外にプラスチック等他の素材でもよい。各折罫線には、折り曲げ易いように破断線が設けられてもよい。
【符号の説明】
【００２６】
１０  表示機能付き包装用箱
１２  箱体形成片
１４，１６，１８，２０  側面
２２，４４，８２  糊付片
３２，５８  フラップ
３６，５０  糊付部
４０  第一底蓋片
４８，８６  凹部
５４  蓋部
５６  折罫線
６２，７６  破断線
６４  透孔
６６  ＰＯＰ部
６８  差込片
７２  裏板
７８  第二底蓋片
８８，９０，９２  糊
【図１】
2015034020.tif 000003
【図２】
2015034020.tif 000004
【図３】
2015034020.tif 000005
【図４】
2015034020.tif 000006
【図５】
2015034020.tif 000007
【図６】
2015034020.tif 000008